(57)【要約】【課題】マスク装着者の鼻または口から吐出される息、咳またはくしゃみによる飛沫が、マスクの上部、及びマスクの側部からマスクの外部に漏れることを抑制可能なマスク支持具を提供する。【解決手段】マスクを装着する装着者の顔に接触される第１枠部１１と、第１枠部１１に重ねられ、かつ、第１枠部１１との間にマスクが配置される第２枠部１２と、第１枠部１１及び第２枠部１２を顔に装着させる耳掛け４２と、を有し、第１枠部１１は、マスクの上部に接触する上構成部１６と、上構成部１６に接続され、かつ、マスクの側部に接触する２つの側部２７，１８と、を有する、マスク支持具１０を構成した。【選択図】図６
0003232055.tif 000002
【実用新案登録請求の範囲】
【請求項１】
マスクを装着する装着者の顔に接触される第１枠部と、
前記第１枠部に重ねられ、かつ、前記第１枠部との間に前記マスクが配置される第２枠部と、
前記第１枠部及び前記第２枠部を前記顔に装着させる保持部材と、
を有し、
前記第１枠部は、
前記マスクの上部に接触する上構成部と、
前記上構成部に接続され、かつ、前記マスクの側部に接触する２つの側部と、
を有する、マスク支持具。
【請求項２】
請求項１記載のマスク支持具において、
前記第１枠部と前記第２枠部とを開閉可能に接続する蝶番が設けられている、マスク支持具。
【請求項３】
請求項１または２記載のマスク支持具において、
前記第１枠部と前記第２枠部とが閉じられた状態で、前記第１枠部と前記第２枠部との間にマスクが配置される、マスク支持具。
【請求項４】
請求項３記載のマスク支持具において、
前記第１枠部と前記第２枠部とが閉じられた状態を保持する留め具が、前記第１枠部及び第２枠部に設けられている、マスク支持具。
【請求項５】
請求項１乃至４の何れか１項記載のマスク支持具において、
前記保持部材は、前記装着者の耳または頭部に掛けられる、マスク支持具。
【考案の詳細な説明】
【技術分野】
【０００１】
本開示は、マスクを顔に対して装着するマスク支持具に関する。
【背景技術】
【０００２】
顔に装着するマスクの一例が、特許文献１に記載されている。特許文献１に記載されたマスクは、着用者の呼気をマスクの外気側に排出するための排気弁を内設する面口部と、着用者の視界を確保するための透明部材からなるアイピースと、を備えている。アイピースには、外周縁部を全周に亘って周設するように組み合わされ、かつ、着用者の顔面に当接するよう形成されたフェイスピースが備えられている。また、アイピースの外周縁部に組み合わされたフェイスピースの内周縁部の少なくとも一部にベロ状突起部が設けされ、ベロ状突起部が、アイピースとの間に離間または離間可能に設けられている。
【０００３】
特許文献１に記載されたマスクによれば、容易に着脱することができ、着用者に負担を与えず、安価にしてクリアな視界を得ることが可能なようにアイピース保護部材を取り付けることが可能である、とされている。
【先行技術文献】
【特許文献】
【０００４】
【特許文献１】実用新案登録第３２２９０８号公報
【考案の概要】
【考案が解決しようとする課題】
【０００５】
本願考案者は、特許文献１に記載されたマスクでは、マスク装着者の鼻または口から吐出される息、咳またはくしゃみによる飛沫が、マスクの上部、及びマスクの側部から外部に漏れる可能性がある、という課題を認識した。
【０００６】
本開示の目的は、マスク装着者の息または飛沫が、マスクの上部、及びマスクの側部かから外部に漏れることを抑制可能なマスク支持具を提供することにある。
【課題を解決するための手段】
【０００７】
一実施形態のマスク支持具は、マスクを装着する装着者の顔に接触される第１枠部と、前記第１枠部に重ねられ、かつ、前記第１枠部との間に前記マスクが配置される第２枠部と、前記第１枠部及び前記第２枠部を前記顔に装着させる保持部材と、を有し、前記第１枠部は、前記マスクの上部に接触する上構成部と、前記上構成部に接続され、かつ、前記マスクの側部に接触する２つの側部と、を有する。
【考案の効果】
【０００８】
一実施形態のマスク支持具によれば、マスク装着者の息または飛沫が、マスクの上部、及びマスクの側部から外部に漏れることを抑制可能である。
【図面の簡単な説明】
【０００９】
【図１】マスク支持具を顔に装着した状態の側面図である。
【図２】マスク支持具を開いた状態の斜視図である。
【図３】（Ａ）は、マスク支持具でマスクを支持した状態の背面図、（Ｂ）は、マスク支持具の他の構成例を示す背面図である。
【図４】マスク支持具を顔に装着し、かつ、頭部を上から見た平面図である。
【図５】マスク支持具及びマスクの側面断面図である。
【図６】（Ａ）は、マスク支持具の他の例を示す斜視図、（Ｂ）は、図６（Ａ）のマスク支持具の展開図である。
【図７】（Ａ）は、マスク支持具の他の例を示す斜視図、（Ｂ）は、図７（Ａ）のマスク支持具の展開図である。
【図８】（Ａ）は、マスク支持具の他の例を示す斜視図、（Ｂ）は、図８（Ａ）のマスク支持具の展開図である。
【考案を実施するための形態】
【００１０】
以下、マスク支持具に含まれるいくつかの実施形態を図面に基づいて詳細に説明する。なお、実施形態を説明するための全図において、同一部には原則として同一の符号を付し、その繰り返しの説明は省略する。
【００１１】
本実施形態のマスク支持具は、マスクを人間の顔に装着するために用いられるものである。図１及び図２に示すように、マスク支持具１０は、第１枠部１１、第２枠部１２及び２本のベルト１３，１４を有する。第１枠部１１及び第２枠部１２は、人間の顔１５に装着される要素であり、かつ、顔１５の形状に沿って弾性変形可能な可撓性を有することが望ましい。第１枠部１１及び第２枠部１２は、一例として共に合成樹脂製である。合成樹脂としては、ポリプロピレン、ポリエチレン、ポリ塩化ビニル樹脂等が用いることが可能である。
【００１２】
図３（Ａ）は、マスク支持具１０を後方から見た背面図、つまり、マスク支持具１０を顔１５側から見た背面図である。第１枠部１１は、略山形（逆Ｖ字形）に屈曲された上構成部１６と、上構成部１６の両端にそれぞれ接続された側部１７，１８と、上構成部１６の略中央から延ばされた支持部１９と、を有する。上構成部１６は、略中央が上方に向けて突出されている。上構成部１６には、仕切り２０が設けられている。
【００１３】
図４は、マスク支持具１０が顔１５に装着された状態で、人間の頭部２１を上から見た平面図である。仕切り２０は、図４において、上構成部１６の略中央から、後方に向けて突出されている。ここで、後方とは、マスク支持具１０が顔１５に装着された状態において、顔１５の表面に接近する方向を意味する。仕切り２０は、合成ゴム製または合成ゴム製であり、仕切り２０の縁２０Ａは、顔１５の表面に沿う形状に湾曲されている。
【００１４】
図３（Ａ）のように、２つの側部１７，１８は、略平行であり、かつ、上構成部１６から下方に向けて延ばされている。ここで、上方及び下方は、図１のように、マスク支持具１０が顔１５に装着された状態における上方及び下方を意味する。図３（Ａ）において、支持部１９は、側部１７と側部１８との間に位置する。支持部１９の先端と、側部１７，１８の先端とは、マスク支持具１０の上下方向で略同じ箇所に位置する。
【００１５】
図３（Ａ）のように、接触部材２２が第１枠部１１に設けられ、具体的には固定されている。接触部材２２は、例えば、クッションモールド製（合成ゴム製）またはスポンジ製である。接触部材２２は、上構成部１６、２つの側部１７，１８に亘って設けられている。接触部材２２は、マスク支持具１０を顔１５に装着する場合に、顔１５の表面に接触して気密性を保持するためのものである。
【００１６】
また、２本のベルト１３，１４は、マスク支持具１０を顔１５に接触した状態を保持するためのものである。２本のベルト１３，１４は、例えば、合成ゴム製である。２本のベルト１３，１４の長さ方向の両端は、第１枠部１１、例えば、２つの側部１７，１８にそれぞれ接続されている。２本のベルト１３，１４は、２つの側部１７，１８の上下方向で異なる箇所に接続されている。２本のベルト１３，１４は、その幅及び厚さは任意である。また、２本のベルト１３，１４は、その長さを調節可能であってもよい。
【００１７】
第２枠部１２は、略山形（逆Ｖ字形）に屈曲された上構成部２３と、上構成部２３の両端にそれぞれ接続された側部２４，２５と、略谷形（Ｖ字形）に屈曲された下構成部２６と、を有する。図３（Ａ）のように、第２枠部１２の背面形状は、環状である。上構成部２３は、略中央が上方に向けて突出されている。２つの側部２４，２５は、略平行であり、かつ、上構成部２３の両端から下方に向けて延ばされている。さらに、下構成部２６は、側部２４，２５に接続されている。図３（Ａ）のように、マスク支持具１０を背面視すると、上構成部１６と上構成部２３とが略同じ形状であり、側部１７と側部２４とが略同じ形状であり、側部１８と側部２５とが略同じ形状である。
【００１８】
図２のように、第１枠部１１と第２枠部１２とが、蝶番２７によって接続されている。蝶番２７は、具体的には、側部１７と側部２４とを連結している。このため、第２枠部１２は、第１枠部１１に対して蝶番２７を支点として、所定角度の範囲内で作動可能、つままり、開閉可能である。第２枠部１２を第１枠部１１に対して閉じると、第１枠部１１と第２枠部１２とが重なる。
【００１９】
マスク支持具１０は、留め具２８を有する。留め具２８は、第２枠部１２を第１枠部１１に対して閉じた状態を保持するものである。留め具２８は、側部１８に設けられた突起２９と、側部２５に対して作動可能に設けられた可動片３０と、可動片３０に連結された係合片３１と、を有する。
【００２０】
次に、マスク支持具１０を顔１５に対して装着する例を説明する。マスク３２の使用者は、先ず、図２のように、マスク支持具１０が顔１５から外された状態において、第２枠部１２を第１枠部１１に対して開いた状態とする。マスク３２は、市販されているものであり、例えば、不織布、ガーゼ、ウレタン、フィルタ等のうちの何れでもよい。なお、マスク３２は、元々耳掛け紐を備えていないか、または、耳掛け紐を除去したものである。
【００２１】
そして、マスク３２を第１枠部１１と第２枠部１２との間に配置する。例えば、マスク３２を第１枠部１１に重ねる。さらに、使用者は第２枠部１２を第１枠部１１に対して作動させると、第１枠部１１と第２枠部１２とにより、マスク３２が挟まれる。具体的には、上構成部１６と上構成部２３とがマスク３２の側縁を挟み、側部１７と側部２４とがマスク３２の側縁を挟み、側部１８と側部２５とがマスク３２の側縁を挟む。その後、係合片３１を突起２９に係合させ、可動片３０を折り返すと、第１枠部１１と第２枠部１２とが、留め具２８によって閉じられた状態に保持される。
【００２２】
そして、図１のように、マスク３２によって口４０及び鼻３３が覆われるように、第１枠部１１を顔１５の表面に接触させ、かつ、ベルト１３，１４を頭部２１へ掛けると、マスク支持具１０が顔１５に装着される。ベルト１３は、耳３４より上方に配置されて頭部２１に掛けられ、ベルト１４は、耳３４より下方に配置されて頭部２１に掛けられる。マスク支持具１０は、ベルト１３，１４によって顔１５に接触した状態に保持され、外力でマスク支持具１０が移動することを抑制できる。また、図５のように、マスク３２は、顔１の表面から離れており、支持部１９は鼻３３に接触される。
【００２３】
使用者が呼吸すると、図５に示すマスク３２の外部Ａ１の空気は、マスク３２を通過してマスク３２の内部Ａ２へ進入する。内部Ａ２は、マスク３２と顔１５の表面との間の空間である。外部Ａ１の空気がマスク３２を通過する過程で、マスク３２は、塵埃等を捕捉する。使用者の口４０または鼻３３の少なくとも一方から吐出される空気（呼気）は、内部Ａ２からマスク３２を通過して外部Ａ１へ排出される。
【００２４】
本実施形態のマスク支持具１０は、第１枠部１１が顔１５の表面に接触するため、空気が第１枠部１１と顔１５との間を通過することを抑制できる。具体的には、上構成部１６及び側部１７，１８が顔１５に接触するため、使用者の口４０または鼻３３の少なくとも一方から吐出される空気（呼気）が、マスク３２の上、及びマスク３２の左右（側方）から外部Ａ１へ漏れることを抑制でき、かつ、眼鏡３７のフレーム３８で保持されたレンズ３５が曇ることを抑制できる。また、咳またはくしゃみによって飛ぶ飛沫が、マスク３２の上部、及びマスク３２の左右（側部）から外部Ａ１へ漏れることを抑制できる。さらに、ベルト１３，１４によって、第１枠部１１が顔１５の表面に押し付けられる。つまり、第１枠部１１が顔１５の表面に密着されるため、第１枠部１１と顔１５との間の気密性が一層向上する。このため、マスク３２の使用前の実験等によって検証された塵埃捕捉率を、使用状態のマスク３２で略同様に達成することができる。
【００２５】
さらに、接触部材２２が顔１５の表面に押し付けられるため、第１枠部１１と顔１５との間の気密性が一層向上する。なお、口４０及び鼻３３の少なくとも一方から、内部Ａ２へ吐出された空気（呼気）の一部は、側部１７の下端と側部１８の下端との間から、マスク３２を通過することなく外部Ａ１へ排出される。すなわち、呼気の一部は、第２枠部１２と顎３６との間から、外部Ａ１へ排出される。
【００２６】
また、仕切り２０の縁２０Ａは、顔１５の表面に沿う形状に湾曲されており、鼻３３の表面及び鼻３３の両側で顔１５の表面に接触して気密性を保持する。このため、使用者の呼気が、上構成部１６と顔１５の表面との間から、外部Ａ１へ排出されることを抑制できる。具体的には、使用者の呼気が、マスク３２の上方へ向けて排出されることを抑制できる。したがって、使用者が図３（Ａ）のように眼鏡３７を顔１５に装着している場合に、眼鏡３７のフレーム３８で保持されたレンズ３５が、呼気で曇ることを抑制できる。さらに、上構成部１６がフレーム３８に接触して眼鏡３７を支持するため、マスク支持具１０は、眼鏡３７が顔１５に対して下方へ移動すること、つまり、眼鏡３７がずり落ちることを防止できる。なお、可動片３０を指で掴んで作動させ、かつ、係合片３１を突起２９から解放させると、第１枠部１１と第２枠部１２とを開くことができ、かつ、マスク３２を交換することが可能である。
【００２７】
図３（Ｂ）は、マスク支持具１０の他の例を示す背面図である。第１枠部１１は、下構成部３９を有し、下構成部３９の両端は、側部１７の下端及び側部１８の下端へ接続されている。つまり、第１枠部１１は、背面形状が環状である。また、接触部材２２は、下構成部３９にも設けられている。このため、マスク支持具１０を顔１５に装着されると、下構成部３９が顔１５の表面に押し付けられる。また、下構成部３９に設けられた箇所の接触部材２２も、顔１５の表面に押し付けられて気密性を保持する。
【００２８】
図６（Ａ）は、マスク支持具１０の他の例を示す斜視図、図６（Ｂ）は、図６（Ａ）のマスク支持具１０の展開図である。第１枠部１１の側部１７，１８にマウント部４１がそれぞれ設けられ、耳掛け４２がマウント部４１にそれぞれ取り付けられている。耳掛け４２は接触部４３を有する。接触部４３は、合成樹脂製または合成皮革製のシートであり、接触部４３は、耳３４に掛けられる。耳掛け４２のうち、接触部４３以外の箇所は、紐、合成樹脂、合成皮革の何れかで構成されている。
【００２９】
また、上構成部１６の略中央には、屈曲部４４が設けられている。屈曲部４４は、鼻３３を迂回する形状に湾曲されている。第１枠部１１は、下構成部３９を備えていないため、顎３６の動きが阻害されにくい。さらに、口４０からマスク３２までの距離をなるべく大きくすることができる。上構成部２３の略中央には、屈曲部４５が設けられている。屈曲部４５は、鼻３３を迂回する形状に湾曲されている。第１枠部１１と第２枠部１２とが、蝶番２７によって開閉可能、つまり、作動可能に連結されている。マスク３２は、第１枠部１１と第２枠部１２との間に挟まれる。なお、図６（Ａ），（Ｂ）に示すマスク支持具１０は、図２に示す留め具２８及び突起２９を有しているが、図示が省略されている。図６（Ａ），（Ｂ）のマスク支持具１０を用いてマスク３２を使用した場合も、前述と同様の効果を得ることができる。
【００３０】
図７（Ａ）は、マスク支持具１０の他の例を示す斜視図、図７（Ｂ）は、図７（Ａ）のマスク支持具１０の展開図である。第２枠部１２は、下構成部２６から突出された支持部４６を有する。マスク３２が第１枠部１１と第２枠部１２との間に挟まれると、支持部４６は、マスク３２に接触してマスク３２の形態を保持する。図７（Ａ），（Ｂ）のマスク支持具１０の他の構造は、図６（Ａ），（Ｂ）のマスク支持具１０の構造と同じである。図７（Ａ），（Ｂ）のマスク支持具１０を用いてマスク３２を使用した場合も、前述と同様の効果を得ることができる。
【００３１】
図８（Ａ）は、マスク支持具１０の他の例を示す斜視図、図８（Ｂ）は、図８（Ａ）のマスク支持具１０の展開図である。第１枠部１１は下構成部３９を備えておらず、第２枠部１２は、下構成部２６を備えていない。図８（Ａ），（Ｂ）のマスク支持具１０の他の構造は、図６（Ａ），（Ｂ）のマスク支持具１０の構造と同じである。図８（Ａ），（Ｂ）のマスク支持具１０を用いてマスク３２を使用した場合も、前述と同様の効果を得ることができる。
【００３２】
本実施形態で説明した事項の技術的意味の一例は、次の通りである。第１枠部１１は、第１枠部の一例である。第２枠部１２は、第２枠部の一例である。ベルト１３，１４、耳掛け４２は、それぞれ保持部材の一例である。蝶番２７は、蝶番の一例である。留め具２８は、留め具の一例である。
【００３３】
マスク支持具は、図面を用いて開示された実施形態に限定されるものではなく、その要旨を逸脱しない範囲で種々変更可能である。例えば、本実施形態において、保持部材の数は、単数または複数の何れでもよい。保持部材は、ベルト、紐、ロープの何れでもよい。接触部材２２は、設けられていてもよいし、設けられていなくてもよい。
【産業上の利用可能性】
【００３４】
本実施形態のマスク支持具は、民間、工事現場、医療現場等のうち、何れの分野においても、マスクを顔に対して装着させて、塵埃をマスクで捕捉する場合に利用することができる。
【符号の説明】
【００３５】
１０…マスク支持具、１１…第１枠部、１２…第２枠部、１３，１４…ベルト、２７…蝶番、２８…留め具、３２…マスク、４２…耳掛け
【図１】
0003232055.tif 000003
【図２】
0003232055.tif 000004
【図３】
0003232055.tif 000005
【図４】
0003232055.tif 000006
【図５】
0003232055.tif 000007
【図６】
0003232055.tif 000008
【図７】
0003232055.tif 000009
【図８】
0003232055.tif 000010